(57)【要約】【課題】低消費電力で高輝度な光を長時間照射可能な動画撮影に好適な携帯電子機器向け照明装置を提供する。【解決手段】照明装置１４は、透明な樹脂材料からなる略平板状の導光板１５と、この導光板１５の入射面１５ａ（導光板１５の短辺側の一端部）に接して取り付けられる２つの光源１６と、導光板１５の凹凸面１５ｂの前面に設けられる拡散制御板１７と、導光板１５の凹凸面１５ｂと反対側の面に接して形成される反射層１８とから構成されている。【選択図】        図２
2004311388.tif 000002
【特許請求の範囲】
【請求項１】
光源と、前記光源から照射された光を内部に導入する入射面、および表面に多数のプリズム形状が配列され前記導光板を伝搬する光を反射および出射させる凹凸面を有する導光板と、前記凹凸面で反射された光を再び前記凹凸面に向けて反射させる反射層とを備えた携帯電子機器向け照明装置であって、
前記光源から照射される光を前記導光板で混合して前記凹凸面から出射させることを特徴とする携帯電子機器向け照明装置。
【請求項２】
前記導光板は、前記入射面から遠ざかるに従って厚みを漸減させたことを特徴とする請求項１に記載の携帯電子機器向け照明装置。
【請求項３】
前記反射層の一面には、多数の微細な凹凸が形成されていることを特徴とする請求項１または２に記載の携帯電子機器向け照明装置。
【請求項４】
前記凹凸面の前面には、前記凹凸面から出射する光の拡散範囲を制御する拡散制御板を更に備えていることを特徴とする請求項１ないし３のいずれか１項に記載の携帯電子機器向け照明装置。
【請求項５】
前記凹凸面の前面には、前記凹凸面から出射する光の反射を防止する反射防止膜を更に備えていることを特徴とする請求項１ないし４のいずれか１項に記載の携帯電子機器向け照明装置。
【請求項６】
前記光源は、ＲＧＢの３色の発光素子から構成され、前記導光板はこれら３色の発光素子からそれぞれ照射されるＲＧＢの３色の光を混合して、白色光を前記凹凸面から出射させることを特徴とする請求項１ないし５のいずれか１項に記載の携帯電子機器向け照明装置。
【請求項７】
前記光源は、時間帯による自然光の色温度の変化に対応して、ＲＧＢの３色の発光素子のそれぞれの発光量を調節することを特徴とする請求項６に記載の携帯電子機器向け照明装置。
【請求項８】
前記凹凸面は、断面略半円形の突条を多数配列してなることを特徴とする請求項１ないし７のいずれか１項に記載の携帯電子機器向け照明装置。
【請求項９】
前記凹凸面は、略半球形の突起を多数配列してなることを特徴とする請求項１ないし７のいずれか１項に記載の携帯電子機器向け照明装置。
【請求項１０】
前記携帯電子機器向け照明装置は、撮像素子を備えた携帯電子機器に搭載され、前記撮像素子による撮像時において所望により前記光源を常時点灯させることを特徴とする請求項１ないし９のいずれか１項に記載の携帯電子機器向け照明装置。
【発明の詳細な説明】
【０００１】
【発明の属する技術分野】
本発明は、カメラやビデオカメラの撮影用光源に好適に用いられる、導光板を備えた携帯電子機器向け照明装置に関するものである。
【０００２】
【従来の技術】
例えば、夜間におけるデジタルカメラやビデオカメラの静止画撮影用光源として、被写体に向けて照明光をムラなく照射するために、光源と導光板とを組み合わせて面発光を可能にした携帯電子機器向け照明装置が知られている（例えば、特許文献１参照。）。
【０００３】
【特許文献１】
特開平１１−３１４０７号公報
【０００４】
上述した照明装置では、閃光発光するＸｅ放電管を光源にして、このＸｅ放電管から照射された閃光を導光板に入射させて、この導光板の出射面全体から閃光を被写体に向けて照射する。
【０００５】
【発明が解決しようとする課題】
近年、携帯電話機に組み込まれたデジタルカメラなどで、短時間の動画を記録できるものが増えている。しかしながら、上述したストロボ型（瞬間発光型）の照明装置では、こうした動画を記録可能なデジタルカメラを用いた夜間の動画撮影の光源として対応することはできなかった。また、静止画撮影においても、光源としてＸｅ放電管を用いた照明装置では、充電に時間が掛かるとともに、消費電力も大きいため、機動的な撮影には問題があった。
【０００６】
一方、ビデオカメラの動画撮影用の照明装置としては、従来、各種電球が光源として用いられてきたが、こうした電球を光源に用いる場合、撮影に必要な光量を得るためには消費電力が大変に大きくなり、照明装置が大型化、重量化するという問題があった。
【０００７】
本発明は、上記の事情に鑑みてなされたものであって、低消費電力で高輝度な光を長時間照射可能な動画撮影および静止画撮影に好適な携帯電子機器向け照明装置を提供することを目的とする。
【０００８】
【課題を解決するための手段】
上記の目的を達成するために、本発明においては、光源と、前記光源から照射された光を内部に導入する入射面、および表面に多数のプリズム形状が配列され前記導光板を伝搬する光を反射および出射させる凹凸面を有する導光板と、前記凹凸面で反射された光を再び前記凹凸面に向けて反射させる反射層とを備えた照明装置であって、前記光源から照射される光を前記導光板で混合して前記凹凸面から出射させることを特徴とする携帯電子機器向け照明装置が提供される。
【０００９】
このような携帯電子機器向け照明装置によれば、外光が不足した環境下においても、デジタルカメラ等の動画撮影機能を利用して、鮮明な明るい動画を撮影することが可能になる。特に光源としてＬＥＤを用いれば、輝度の高い照明光を低消費電力で連続して被写体に照射することが可能になる。
【００１０】
前記導光板は、前記入射面から遠ざかるに従って厚みを漸減させてもよい。これによって、導光板内で光源に近い領域と光源から遠ざかったとで、均一な輝度の照明光を出射することが可能になる。
【００１１】
前記反射層の一面には、多数の微細な凹みを形成してもよい。こうした微細な凹凸は、入射した光をムラなく拡散させつつ反射させることによって、照明光の輝度ムラを効果的に防止する。
【００１２】
前記凹凸面の前面には、前記凹凸面から出射する光の拡散範囲を制御する拡散制御板を更に備えていてもよい。また、前記凹凸面の前面には、前記凹凸面から出射する光の反射を防止する反射防止膜を更に備えていてもよい。こうした拡散制御板は導光板から出射された照明光の照射範囲（照射角度）を広げたり、あるいは絞り込んだりする。拡散制御板で照明光の照射範囲を制御することによって、被写体全体を適切に照明することができる。
【００１３】
前記光源は、ＲＧＢの３色の発光素子から構成され、前記導光板はこれら３色の発光素子からそれぞれ照射されるＲＧＢの３色の光を混合して、白色光を前記凹凸面から出射させるようにしてもよい。こうした照明装置の光源に３原色の発光素子を使用して、加法混色によって白色の照明光を得るようにすれば、光の３原色が含まれた白色光で被写体を照明することができ、特に人物の撮影などにおいては、自然な発色の肌色で撮影を行うことができる。
【００１４】
前記光源は、時間帯による自然光の色温度の変化に対応して、ＲＧＢの３色の発光素子のそれぞれの発光量を調節するようにしてもよい。これによって、時間帯による自然光の色温度の偏りを補って、自然な発色で被写体を照らし出すことができる。
【００１５】
前記凹凸面は、断面略半円形の突条を多数配列したものであればよい。また、前記凹凸面は、略半球形の突起を多数配列しても好ましい。こうした突条や突起は、凹凸面から光をより効率的に出射させるのに大いに役立つ。前記携帯電子機器向け照明装置は、撮像素子を備えた携帯電子機器に搭載されて、この撮像素子による撮像時において所望により前記光源を常時点灯させることができる。撮像素子による撮像時に前記光源を常時点灯させれば、光量が不足した環境の下でも動画撮影を低消費電力で行うことが可能になる。
【００１６】
【発明の実施の形態】
以下、本発明の実施形態として、本発明の携帯電子機器向け照明装置を備えたカメラ付き携帯電話機を取り挙げる。図１は、本発明の携帯電子機器向け照明装置を備えたカメラ付き携帯電話機を示す外観斜視図である。カメラ付き携帯電話機１０は、例えば折畳式の筐体１１に、各種操作ボタン（図示略）、液晶表示パネル（図示略）、アンテナ１２などが取り付けられている。また、筐体１１の外面には、デジタルカメラ１３、及び照明装置１４の一部が露出している。
【００１７】
図２は、本発明の携帯電子機器向け照明装置を示す断面図であり、図３は照明装置の要部を示す斜視図である。照明装置１４は、透明な樹脂材料からなる略平板状の導光板１５と、この導光板１５の入射面１５ａ（導光板１５の短辺側の一端部）に接して取り付けられる２つの光源１６と、導光板１５の凹凸面１５ｂの前面に設けられる拡散制御板１７と、導光板１５の凹凸面１５ｂと反対側の面に接して形成される反射層１８とから構成されている。なお、光源１６は１個または３個以上であってもよい。
【００１８】
導光板１５は、入射面１５ａに入射した光源１６からの光を凹凸面１５ｂから出射して被写体等を照明する略平板状の部材であり、例えば透明なアクリル樹脂などで射出成型されればよい。導光板１５の凹凸面１５ｂには、複数の突条１９が互いに平行に平面視ストライプ状に形成されてプリズム形状を成しており、この凹凸面１５ｂの反対側面（対向面）は、平坦面に形成されている。
【００１９】
図４に示すように、凹凸面１５ｂを構成する突条１９は、凹凸面１５ｂの水平基準面ｚに対して傾斜して形成された一対の斜面部により構成された縦断面くさび状のもので、これらの斜面部の一方が緩斜面部１９ａとされ、他方がこの緩斜面部１９ａよりも急な傾斜角度に形成された急斜面部（斜面部）１９ｂとされている。
【００２０】
前記緩斜面部１９ａは、水平基準面ｚに対して傾斜角θ１を有して形成され、急斜面部１９ｂは傾斜角θ２を有して形成されている。導光板１５内部を図４では左側（光源側）から右側へ伝搬する光を、凹凸面１５ｂの急斜面部１９ｂにより反射層１８に向けて反射する。
【００２１】
図４に示す緩斜面部１９ａの傾斜角θ１は、水平基準面ｚに対して例えば０．５°以上５°以下の範囲が好ましく、急斜面部１９ｂの傾斜角θ２は例えば４０°以上６０°以下の範囲とされることが好ましい。このような範囲とするならば、導光板１５面内を伝搬する光を効率よく反射層１８に向けて出射させることができる。
【００２２】
緩斜面部１９ａの傾斜角θ１の範囲が、０．５°未満では、照明装置１４の平均輝度が低下し、５°を越える場合には、導光板１５面内での出射光量を均一化することが難しくなる。また、急斜面部１９ｂの傾斜角度θ２が、４０°未満の場合、及び６０°を越える場合には、急斜面部１９ｂを透過して漏れ出る光量が多くなり照明装置１４の平均輝度が低下するため好ましくない。
【００２３】
反射層１８は、導光板１５の凹凸面１５ｂを構成する突条１９の急斜面部１９ｂで反射された光を再び導光板１５に向けて反射させるためのアルミニウムや銀などの高反射率の金属薄膜からなる反射膜を備えるものである。この反射層１８は、特定の方向で反射光が強くなり、照明光にムラが生じるのを防止するための光散乱反射手段である微細な凹凸（凹み）１８ａが多数形成されている。なお、この光散乱反射手段としては、反射膜に凹凸形状を付与したもの以外にも、樹脂膜中に樹脂膜を構成する材料と異なる屈折率の樹脂ビーズを分散させた散乱膜等を用いることもできる。
【００２４】
光源１６は、発光面を導光体１５の入射面１５ａに向けて配設されている。図５に示すように、光源１６は、基板３５の中央部に配列形成されたＬＥＤ（発光素子）１６Ｒ，１６Ｇ，１６Ｂを備えて構成されており、図示前面側（ＬＥＤが配設された側）に向けて発光するようになっている。また、ＬＥＤ１６Ｒ，１６Ｇ，１６Ｂそれぞれの発光強度を制御するための信号端子も基板３５上に設けられていてもよい。さらに、１つの青色ＬＥＤの発光部に黄色の蛍光体を塗布して白色光を得るものもある。
【００２５】
ＬＥＤ１６Ｒ，１６Ｇ，１６Ｂはそれぞれ赤、緑、青の発光色を有するダイオードとされており、これらのＬＥＤから照射される３色の光を加法混色することで、赤、緑、青の３色成分を含んだ白色光を得ることができる。また、これらＬＥＤ１６Ｒ，１６Ｇ，１６Ｂのそれぞれの発光強度を調節することによって、任意の色の照明光を得ることも可能である。
【００２６】
図５に示す光源１６では、図示下側からそれぞれ赤、緑、青の発光色の発光体を縦方向一列に配置しているが、この配列方向及び配列順序に特に限定はなく、各ＬＥＤを三方に配置しても良い。また、上記三色のＬＥＤに加えて白色のＬＥＤを更に設け、輝度を高めた構成としても良い。
【００２７】
このような構成によって、図２，図４に示すように、光源１６のＬＥＤ１６Ｒ，１６Ｇ，１６Ｂから照射された３色の光は、入射面１５ａから導光板１５内に入射して、導光板１５の内面側で緩斜面部１９ａは光伝搬に寄与し、急斜面部１９ｂは反射層１８に落射させるという効果を繰り返しながら加法混色され、白色光として反射層１８の凹凸１８ａで反射される。反射層１８で反射された白色光は再び導光板１５に入射した後、凹凸面１５ｂから出射される。凹凸面１５ｂからは３色の光成分を含んだ輝度ムラのない白色光が出射される。
【００２８】
導光板１５の凹凸面１５ｂの前面側には、更に拡散制御板１７が備えられている。拡散制御板１７は、例えば、フレネルレンズ板１７ａと、拡散板１７ｂとが組み合わされていればよい。また、カメラ付き携帯電話機１０の筐体１１に取り付けられれば良い。フレネルレンズ板１７ａは、周知のフレネルレンズ構造が形成された樹脂製の板などから構成されれば良い。
【００２９】
こうした拡散制御板１７は、導光板１５の凹凸面１５ｂから出射された照明光の照射範囲（照射角度）を広げたり、あるいは絞り込んだりする。拡散制御板１７で照明光の照射範囲を制御することによって、被写体全体を適切に照明することができる。なお、拡散制御板１７の前面側には、筐体１１に取り付けられたカバーガラス２５が設けられている。拡散制御板１７は、フレネルレンズ板１７ａや拡散板１７ｂ以外にも、例えば、表面にピラミッド型の微細な突起が一面に形成された光指向性調整シートなどを用いても良い。
【００３０】
以上のような構成の照明装置１４によれば、夜間など外光が不足した環境下においても、カメラ付き携帯電話機１０に内蔵されたデジタルカメラ１３の動画撮影機能を利用して、鮮明な明るい動画および静止画を撮影することが可能になる。照明装置１４は、光源１６にＬＥＤを用いているので、輝度の高い照明光を低消費電力で連続して被写体に照射することが可能になる。
【００３１】
こうした照明装置１４の光源１６に３色のＬＥＤ１６Ｒ，１６Ｇ，１６Ｂを使用して、加法混色によって白色の照明光を得るようにすれば、光の３原色が含まれた白色光で被写体を照明することができ、特に人物の撮影などにおいては、自然な発色の肌色で撮影を行うことができる。
【００３２】
なお、光源１６を構成する３色のＬＥＤ１６Ｒ，１６Ｇ，１６Ｂのそれぞれの発光輝度を、カメラ付き携帯電話機１０に内蔵された内部クロックに連動させて、時間帯によって発光色をコントロールすることも好ましい。照明装置１４を外光の補助光源として用いる場合、例えば、朝方の自然光は青色成分が多く含まれているため、撮影した映像が不自然に青みがかってしまうが、ＬＥＤ１６Ｂの輝度を絞った照明光を被写体に照射して被写体の発色を補正することで、自然な発色で撮影を行うこともできる。また、例えば、夕方の自然光は赤色成分が極端に多く含まれているため、撮影した映像が不自然に赤みがかってしまうが、ＬＥＤ１６Ｒの輝度を絞った照明光を被写体に照射して被写体の発色を補正することで、自然な発色で撮影を行うこともできる。
【００３３】
上述した実施形態では、導光板に直接光源の光を入射させているが、これ以外にも、光源と導光板との間に中間導光体を備えていても良い。図６に示す照明装置４０では、導光板４１の入射面４１ａに接して、中間導光体（バー導光体）４２を備えている。そして、この中間導光体４２の両端部の入射面４２ａに接して２つの光源４３ａ，４３ｂが備えられている。
【００３４】
内面に反射体などが形成されたケース４４に覆われた中間導光体４２は、凹凸面４２ｂによって光源４３ａ，４３ｂから入射した光を反射、伝搬を繰り返すことで均一な照度の光にして導光板４１の入射面４１ａにムラなく入射させる。これにより、導光板４１の作用と相まって、導光板４１の凹凸面４１ｂからは輝度ムラのない明るい照明光が照射される。
【００３５】
さらに、上述した実施形態では、導光板の両側端の厚みは同一に形成したが、導光板の入射面からの距離に応じて導光板の厚みを変化させても良い。図７に示す照明装置５０では、導光板５１は入射面５１ａから反対側の側端面５１ｂに向けて、厚みを漸減させている。例えば、入射面５１ａの厚みを０．５〜１．５ｍｍに形成したとき、側端面５１ｂの厚みｔは０．１〜０．５ｍｍに形成される。このように、導光板５１の厚みを入射面５１ａから遠ざかるに従って漸減させることによって、導光板５１内で光源５２に近い位置と光源５２から離れた位置とで光量を均一に保つことが可能になる。
【００３６】
こうした導光板の厚みを変える場合、特に光量の低下が大きい入射面と反対側の側端面付近だけの厚みを減じても良い。図８に示す照明装置６０では、導光板６１は入射面６１ａと反対側の側端面６１ｂ付近で厚みを漸減させている。例えば、入射面６１ａの厚みを０．５〜１．５ｍｍに形成したとき、側端面６１ｂの厚みは０．１〜０．５ｍｍに形成される。このように、導光板６１の厚みを側端面６１ｂ付近で漸減させることによって、導光板６１内で光源６２に近い位置と光源６２から離れた位置とで光量を均一に保つことが可能になる。
【００３７】
図９に示すように、照明装置７０を構成する導光板７１の前面側（出射面側）に、更に反射防止膜７２と、拡散レンズ７３とをユニット化して設けるのも好ましい。こうした反射防止膜７２と拡散レンズ７３とを組み込んでユニット化された照明装置７０は、例えば、携帯電話の筐体１１に容易に組み込むことができる。なお、反射防止膜７２としては、微細な凹凸からなるＡＲ格子を形成したＡＲ格子膜が好適に用いられる。
【００３８】
図１０に示すように、本発明の携帯電子機器向け照明装置８０は、搭載する筐体１１のデザインに合わせて自在にその出射面８１を形成することが可能である。
【００３９】
凹凸面を断面略半円形の多数の突条から構成しても良い。図１１に示すように、照明装置９１は、透明な樹脂材料からなる略平板状の導光板９２と、光源ユニット９３とから構成されている。導光板９２は、光源ユニット９３が取り付けられる入射面９２ａと、凹凸面９２ｂと、反射面９２ｃとが形成されている。光源ユニット９３は、例えばＬＥＤなどの光源９３ａと、この光源９３ａの光を入射面９２ａ全体に均一に広げて入射させるバー導光体９３ｂとからなる。
【００４０】
導光板９２は、入射面９２ａに入射した光源ユニット９３からの光を凹凸面９２ｂから出射して被写体等を照明する略平板状の部材であり、例えば透明なアクリル樹脂などで射出成型されればよい。導光板９２の凹凸面９２ｂには、複数の突条９４が互いに平行に平面視ストライプ状に形成されてプリズム形状を成している。
【００４１】
凹凸面９２ｂを構成する多数の突条９４は、それぞれが断面が略半円形のかまぼこ形を成した微細なシリンドリカルレンズであり、反射面９２ｃで反射された光を均一な平行光として凹凸面９２ｂから出射させる役割を果たす。
【００４２】
導光板９２の反射面９２ｃには、光源９３から入射した光を凹凸面９２ｂ方向に反射させる反射部９５ａを持つ断面視台形状の反射突条９５が、導光板９２の内部方向に突出するように多数形成されている。
【００４３】
このような構成の照明装置９１では、図１３に示すように、光源ユニット９３によって導光板９２の入射面９２ａから入射した光は、導光板９２内を伝搬しつつ反射面９２ｃに多数形成された反射突条９５の反射部９５ａに入射する。反射部９５ａに入射した光は、凹凸面９２ｂ方向に反射され、凹凸面９２ｂを構成する突条９４に入射する。突条９４は断面略半円形のシリンドリカルレンズを成すので、反射突条９５で反射された光はこの突条９４で均一な平行光Ｒ３になって凹凸面９２ｂから出射される。これにより、照明装置９１は凹凸面９２ｂ全体から輝度ムラのない均一な照明光を照射することができる。
【００４４】
凹凸面を略半球形の多数の突起から構成しても良い。図１４に示すように、照明装置１０１は、透明な樹脂材料からなる略平板状の導光板１０２と、光源１０３とから構成されている。導光板１０２は、光源１０３が取り付けられる入射面１０２ａと、凹凸面１０２ｂと、反射面１０２ｃとが形成されている。
【００４５】
この実施形態では、導光板１０２の凹凸面１０２ｂには、略半球形の多数の突起１０４が一面に形成されてプリズム形状を成している。また、反射面１０２ｃには、導光板１０２の内部方向に突出するように略台形の微細な反射突起１０５が多数形成されている。この反射突起１０５は、図１２に示すように、それぞれが光源ユニット１０３から入射した光を凹凸面１０２ｂ方向に反射させる反射部１０５ａを持つ（図１２中の矢印Ｒ１参照）。
【００４６】
また、反射突起１０５は、上方すなわち凹凸面１０２ｂ方向に近づくほど、その幅が狭められて形成されている。このように上方に向けて幅を狭めることにより、導光板１０２の入射面１０２ａから離れた位置に形成された反射突起１０５まで、光源ユニット１０３からの光が十分に届くようになる（図１２中の矢印Ｒ２参照）。
【００４７】
このような照明装置１０１は、光源１０３として点光源を用いても、凹凸面１０２を形成する多数の突起１０４のレンズ効果によって導光板１０２の凹凸面１０２全体から輝度ムラのない均一な照明光を得ることができる。
【００４８】
上述した本発明の照明装置は、カメラ付き携帯電話機の照明装置以外にも、たとえば、デジタルカメラや、ビデオカメラなどの撮影光源としても適用することができる。
【００４９】
【発明の効果】
以上、詳細に説明したように、本発明の携帯電子機器向け照明装置によれば、外光が不足した環境下においても、デジタルカメラ等の動画および静止画撮影機能を利用して、鮮明な明るい撮影をすることが可能になる。特に光源としてＬＥＤを用いれば、輝度の高い照明光を低消費電力で連続して被写体に照射することが可能になる。
【００５０】
前記導光板は、前記入射面から遠ざかるに従って厚みを漸減させてもよい。これによって、導光板内で光源に近い領域と光源から遠ざかったとで、均一な輝度の照明光を出射することが可能になる。また、前記反射層の一面には、多数の微細な凹みを形成してもよい。こうした微細な凹みは、入射した光をムラなく拡散させつつ反射させることによって、照明光の輝度ムラを効果的に防止する。
【００５１】
前記凹凸面の前面には、前記凹凸面から出射する光の拡散範囲を制御する拡散制御板を更に備えていてもよい。こうした拡散制御板は導光板から出射された照明光の照射範囲（照射角度）を広げたり、あるいは絞り込んだりする。拡散制御板で照明光の照射範囲を制御することによって、被写体全体を適切に照明することができる。
【００５２】
前記光源は、ＲＧＢの３色の発光素子から構成され、前記導光板はこれら３色の発光素子からそれぞれ照射されるＲＧＢの３色の光を混合して、白色光を前記凹凸面から出射させるようにしてもよい。こうした照明装置の光源に３原色の発光素子を使用して、加法混色によって白色の照明光を得るようにすれば、光の３原色が含まれた白色光で被写体を照明することができ、特に人物の撮影などにおいては、自然な発色の肌色で撮影を行うことができる。
【００５３】
前記光源は、時間帯による自然光の色温度の変化に対応して、ＲＧＢの３色の発光素子のそれぞれの発光量を調節するようにしてもよい。これによって、時間帯による自然光の色温度の偏りを補って、自然な発色で被写体を照らし出すことができる。
【００５４】
前記凹凸面は、断面略半円形の突条を多数配列したものであればよい。また、前記凹凸面は、略半球形の突起を多数配列しても好ましい。こうした突条や突起は、凹凸面から光をより効率的に出射させるのに大いに役立つ。前記携帯電子機器向け照明装置は、撮像素子を備えた携帯電子機器に搭載されて、この撮像素子による撮像時において所望により前記光源を常時点灯させることができる。撮像素子による撮像時に前記光源を常時点灯させれば、光量が不足した環境の下でも動画撮影を低消費電力で行うことが可能になる。
【図面の簡単な説明】
【図１】図１は、本発明の携帯電子機器向け照明装置を備えたカメラ付き携帯電話機を示す斜視図である。
【図２】図２は、本発明の携帯電子機器向け照明装置の断面構成図である。
【図３】図３は、本発明の携帯電子機器向け照明装置の要部斜視図である。
【図４】図４は、本発明の携帯電子機器向け照明装置の導光状態を説明するための部分断面図である。
【図５】図５は、光源の構成を示す拡大斜視図である。
【図６】図６は、第２の実施形態の照明装置を示す分解斜視図である。
【図７】図７は、第３の実施形態の照明装置を示す断面構成図である。
【図８】図８は、第４の実施形態の照明装置を示す断面構成図である。
【図９】図９は、第５の実施形態の照明装置を示す断面構成図である。
【図１０】図１０は、第６の実施形態の照明装置を示す断面構成図である。
【図１１】図１１は、第７の実施形態の照明装置を示す外観斜視図である。
【図１２】図１２は、第８の実施形態の反射突条を示す拡大斜視成図である。
【図１３】図１３は、図１１に示す照明装置の作用を説明する拡大断面図である。
【図１４】図１４は、第８の実施形態の照明装置を示す外観斜視図である。
【符号の説明】
１０  カメラ付き携帯電話機
１４  照明装置（携帯電子機器向け照明装置）
１５  導光板（導光体）
１５ａ  入射面
１５ｂ  凹凸面
１６  光源
１６Ｒ，１６Ｇ，１６Ｂ  ＬＥＤ（発光素子）
１７  拡散制御板
１８  反射層
１８ａ  凹凸（凹み）
７２  反射防止膜
９４  突条
１０４  突起
【図１】
2004311388.tif 000003
【図２】
2004311388.tif 000004
【図３】
2004311388.tif 000005
【図４】
2004311388.tif 000006
【図５】
2004311388.tif 000007
【図６】
2004311388.tif 000008
【図７】
2004311388.tif 000009
【図８】
2004311388.tif 000010
【図９】
2004311388.tif 000011
【図１０】
2004311388.tif 000012
【図１１】
2004311388.tif 000013
【図１２】
2004311388.tif 000014
【図１３】
2004311388.tif 000015
【図１４】
2004311388.tif 000016